(57)【要約】【課題】画像形成装置の内部に配置される回路基板の冷却を、コスト増を招かずに効率良く行う。【解決手段】  加熱手段を内蔵した定着ローラ１２７ｂからの発熱を排熱する排気ファン１３５からの排気流が流れる風路１３４に冷却空間１３０につながる開口１３２を設ける。冷却空間１３０内には、回路基板１３１が配置され、また外気導入口１４２が設けられている。カラープリンタ１００の印刷動作時に排気ファン１３５が動作すると、風路１３４に開口１３２から冷却空間１３０内の空気が吸い込まれ、それにより生じる外気導入口１３３から開口１３２に向かっての空気の流れによって回路基板１３１の冷却が行われる。【選択図】図１
2008145721.tif 000002
【特許請求の範囲】
【請求項１】
画像定着装置と、
前記画像定着装置が発生する熱を排出するための排気装置と、
前記排気装置の排気力を利用して冷却される回路基板と
を備えることを特徴とする画像形成装置。
【請求項２】
前記排気装置からの排気流が流れる風路と、
前記風路に形成された開口および外気導入手段を備えた冷却空間と
を備え、
前記回路基板は、前記冷却空間内における前記開口と前記外気導入手段との間に配置されていることを特徴とする請求項１に記載の画像形成装置。
【請求項３】
前記風路はベンチュリ構造を備え、
前記ベンチュリ構造の部分に前記開口が設けられていることを特徴とする請求項２に記載の画像形成装置。
【請求項４】
前記排気装置からの排気流が流れる風路と、
前記風路に外気を導入するための開口と
を備え、
前記回路基板は、前記風路における前記開口の下流側に配置されていることを特徴とする請求項１に記載の画像形成装置。
【発明の詳細な説明】
【技術分野】
【０００１】
本発明は、画像形成装置に関する。
【背景技術】
【０００２】
交換機等の電子機器の内部を冷却する構造として、自然対流による冷却に、煙突効果を利用する構成がある（例えば特許文献１を参照）。また、交換機等の電子機器の内部を冷却する構造として、ファンによる排気流路を電子機器の内部に設け、換気を効率的に行う構成も知られている（例えば特許文献２を参照）。
【０００３】
【特許文献１】特開２００１−１４４４８６号
【特許文献２】特開平１１―２９８１７９号
【発明の開示】
【発明が解決しようとする課題】
【０００４】
本発明は、画像形成装置における回路基板の効果的な冷却を専用の冷却手段を用いずに実現することを目的とする。
【課題を解決するための手段】
【０００５】
請求項１に記載の発明は、画像定着装置と、この画像定着装置が発生する熱を排出するための排気装置と、この排気装置の排気力を利用して冷却される回路基板とを備えることを特徴とする画像形成装置である。
【０００６】
請求項２に記載の発明は、請求項１に記載の発明において、排気装置からの排気流が流れる風路と、この風路に形成された開口および外気導入手段を備えた冷却空間とを備え、回路基板は、冷却空間内における開口と外気導入手段との間に配置されていることを特徴とする。
【０００７】
請求項３に記載の発明は、請求項２に記載の発明において、風路はベンチュリ構造を備え、このベンチュリ構造の部分に前記開口が設けられていることを特徴とする。
【０００８】
請求項４に記載の発明は、請求項１に記載の発明において、排気装置からの排気流が流れる風路と、この風路に外気を導入するための開口とを備え、回路基板は、風路における開口の下流側に配置されていることを特徴とする。
【発明の効果】
【０００９】
請求項１に記載の発明によれば、回路基板の効果的な冷却を専用の冷却手段を用いずに実現することができる。
【００１０】
請求項２に記載の発明によれば、定着装置から発生する熱を排熱する排気装置の排気流に流入する空気の流れを利用して回路基板の冷却を行うことができる。このため、装置の製造コスト低減、冷却のための電力消費の低減、装置構成の簡素化を計ることが可能となる。
【００１１】
請求項３に記載の発明によれば、ベンチュリ構造で生成される低圧部分に流入する空気の流れを利用して回路基板の冷却を行うことができ、より効果的な回路基板の冷却を行うことができる。
【００１２】
請求項４に記載の発明によれば、定着装置から発生する熱を排熱する排気装置の排気流が外気によって冷却され、その流れを利用して回路基板を冷却することができる。
【発明を実施するための最良の形態】
【００１３】
１．第１の実施形態
（実施形態の構成）
以下、発明を利用した一実施形態を説明する。本実施形態は、本発明を印刷装置に利用した場合の一例である。図１は、発明を利用した画像形成装置の概要を示す概念図であり、図１（Ａ）にはその内部構造の詳細が示され、図１（Ｂ）には、図１（Ａ）を右方向から見た内部構造が示されている。なお、図１（Ｂ）には、図１（Ａ）に示す構成の一部が記載され、その他の記載は省略されている。図１には、画像形成装置の一例であるカラープリンタ１００が示されている。カラープリンタ１００は、１ドラム方式の現像機１０１を備えている。現像機１０１は、ＹＭＣＫの各基本色に対応する４つの現象ユニット１０２を備えている。現象ユニット１０２は、トナーボトル１０２ａとトナー供給機構１０２ｂを備えている。４つのトナーボトル１０２ａのそれぞれには、各現象ユニット１０２に対応したＹＭＣＫのいずれかのトナーが収められている。
【００１４】
現像機１０１に接して感光体ドラム１０３が配置されている。感光体ドラム１０３は、光学書き込み装置１０４から照射される走査光により部分的に感光されてその表面に潜像が形成される。光学書き込み装置１０４は、書き込み露光用走査装置であり、レーザ照射装置１０４ａとレーザ光を案内する光学系１０４ｂを備えている。現像機１０１と感光体ドラム１０３が同期して互いに逆方向に回転し、その際に光学書き込み装置１０４から感光体ドラム１０３に走査光が照射されることで感光体ドラム１０３に潜像が形成される。感光体ドラム１０３の表面は、この潜像に応じて帯電し、その電界に引かれて現像機１０１の一つの現像ユニット１０２からＹＭＣＫのいずれかのトナーが感光体ドラム１０３に選択的に供給される。こうして、感光体ドラム１０３表面に光学書き込み装置１０４によって形成された潜像に応じてＹＭＣＫのいずれかのトナーが付着し、潜像に応じたトナー画像が形成される。
【００１５】
感光体ドラム１０３に近接してクリーニング装置１０５が設けられている。クリーニング装置１０５は、ブレード１０５ａを感光体ドラム１０３の表面に接触させ、感光体ドラム１０３の回転力を利用して、残存したトナーを掻き落とす機能を備えている。なお、掻き落とされたトナーは、図示しないトナー回収手段に回収される。
【００１６】
感光体ドラム１０３に接触する状態で転写ベルト１０６が配置されている。また、転写ベルト１０６を間に挟んで、感光体ドラム１０３に対向した位置に１次転写ローラ１０８が配置されている。感光体ドラム１０３と１次転写ローラ１０８との間には、トナー画像の転写時に必要なバイアス電圧が印可可能となっている。転写ベルト１０６は、駆動ローラ１０９によって、感光体ドラム１０３の回転に同期した速さで搬送される。この際、転写ベルト１０６が、感光体ドラム１０３と１次転写ローラ１０８との間に挟まれ、その時に感光体ドラム１０３と１次転写ローラ１０８との間にバイアス電圧が印可されることで、転写ベルト１０６への感光体ドラム１０３からのトナー画像の転写（１次転写）が行われる。この際、カラーであれば、ＹＭＣＫの各色に対する１次転写が４回行われて４色の画像が重ねられ、転写ベルト１０６上にカラートナー画像が形成される。また、モノクロであれば、ＹＭＣＫの中の一色に対して転写が行われる。
【００１７】
転写ベルト１０６に近接して、クリーニングローラ１１０が配置されている。クリーニングローラ１１０は、転写ベルト１０６に対してＤＣ電圧を印可し、２次転写後に転写ベルト１０６上に残存したトナーを正に帯電させる。正に帯電したトナーは、感光体ドラム１０３と１次転写ローラ１０８との間に印可されるＤＣ電圧の電界の作用によって、感光体ドラム１０３に回収される。感光体ドラム１０３に回収されたトナーは、クリーニング装置１０５によって除去され、図示しないトナー回収手段に回収される。
【００１８】
転写ベルト１０６に近接してトナーセンサー１１１が配置されている。トナーセンサー１１１は、光学センサーであり、光学的に転写ベルト１０６に付着したトナーの状態を監視する。トナーセンサー１１１の出力から、消費されたトナー量を知ることができる。転写ベルト１０６に近接して、マーク検出センサー１２１が配置されている。マーク検出センサー１２１により転写ベルト１０６上に形成された図示しない位置検出用マークが検出される。この図示しない位置検出用マークは、転写ベルト１０６上における１次転写を行う位置を決めるためのマークとして利用される。
【００１９】
カラープリンタ１００の底部には、印刷用紙１２２を収納した用紙収納部１２３が格納されている。印刷用紙１２２は、符号１２４によって代表的に示される用紙搬送系によって用紙搬送経路１２５を搬送される。この用紙搬送経路１２５の途中に、２次転写ローラ１２６ａと１２６ｂが配置されている。２次転写ローラ１２６ａおよび１２６ｂの間に、用紙搬送経路１２５を搬送されてきた図示省略した印刷用紙と転写ベルト１０６とが挟まれることで、転写ベルト１０６の表面に１次転写されているトナー画像が、印刷用紙に更に２次転写される。
【００２０】
トナー画像が転写された印刷用紙は、用紙搬送経路１２５に沿って動き、画像定着装置の一例である定着ローラ１２７ａおよび１２７ｂとの間を搬送される。定着ローラ１２７ｂは、加熱ヒータを内蔵しており、上記の搬送時に印刷用紙上のトナー画像を構成するトナー材料を加熱する。この加熱により、トナーが定着し、印刷用紙上に画像が形成される（つまり印刷が行われる）。印刷が行われた印刷用紙は、排出機構１２８から排出面１２９上に排出される。図１（Ｂ）には、図１（Ａ）に示す２次転写ローラ１２６ｂおよび定着ローラ１２７ｂが示されている。なお、これ以外の図１（Ａ）に示す構成は、図１（Ｂ）において記載が省略されている。
【００２１】
図１（Ｂ）において、符号１３１は、カラープリンタ１００内に格納された回路基板である。この回路基板１３１には、制御系および画像処理系の回路基板と、電源系の回路基板とが含まれている。画像処理系の回路基板は、デジタル演算をおこなう為の各種の集積回路を備えており、これら集積回路は動作時に発熱する。カラープリンタ１００は、画像を扱うので、これら集積回路の演算は、高速であり、また扱うデータ量も多い。そのため、回路基板１３１上の集積回路の発熱量は多く、何らかの冷却（あるいは排熱）機構が必要とされる。また、電源系の回路基板もレギュレータ回路等から発熱があり、その冷却が必要とされる。
【００２２】
本実施形態では、この冷却機構として以下の構成を備える。すなわち、回路基板１３１は、冷却空間１３０内に配置されている。冷却空間１３０は、その上部に開口１３２を備え、その下部に外気導入手段の一例である外気導入口１３３を備えている。開口１３２は、風路１３４に繋がるように形成されており、回路基板１３１は、この開口１３２と外気導入口１３３との間に配置されている。
【００２３】
風路１３４は、排気装置の一例である排気ファン１３５からの排気流をカラープリンタ１００の外部に排出する経路として機能する。排気ファン１３５は、定着ローラ１２７ａおよび１２７ｂが配置された空間に面しており、その空間の空気を吸引する。定着ローラ１２７ｂは、ヒータを内蔵しており、このヒータの発熱を利用して印刷用紙への画像の定着が行われる。このヒータからの熱を含んだ空気は、排気ファン１３５により吸引され、風路１３４を介して外部に排出される。なお、排気ファン１３５の排気側には、画像の定着に伴って発生する臭いを吸収（または分解）するための活性炭フィルター（または触媒フィルター）１３６が配置されている。これら図１（Ｂ）に示す構成は、図１（Ａ）に示す構成の裏側（紙面向こう側）に配置されている。
【００２４】
排気ファン１３５が動作し、風路１３４内に外部に向かった空気の流れが生じると、ベルヌーイの定理から風路１３４内の圧力が相対的に低下し、冷却空間１３０内の空気が開口１３２から風路１３４内に吸い込まれる。これに伴い、外気導入口１３３から外気が冷却空間１３０内に流れ込む。回路基板１３１は、外気導入口１３３から見て、この空気の流れの下流側に位置しているので、外気導入口１３３から流入した空気によって回路基板１３１は冷却される。換言すると、回路基板１３１から発生した熱量が外気導入口１３３から流入した空気によって運び去られ、風路１３４から外部に排出される
【００２５】
回路基板１３１には、以下の２枚の回路基板１３１ａおよび１３１ｂが含まれる。図２は、回路基板１３１ａを含む制御系の概要を示すブロック図である。回路基板１３１ａは、制御系および画像処理系の回路が配置された基板であり、その上には、ＣＰＵ(central processing unit)２０１、ＲＯＭ(read only memory)２０２、ＲＡＭ(random access memory)２０３、画像データ入力回路２０４、および画像処理回路２０５が配置されている。
【００２６】
ＣＰＵ２０１は、図２に示す制御系全体の動作を統括し、各種の動作手順を実行する機能を有する。ＲＯＭ２０２は、各種の動作手順を実行するための動作プログラムおよびその動作に必要なデータが記憶されている。ＲＡＭ２０３は、各種の動作手順の実行時において、プログラムデータや各種のデータを一時的に記憶するワーキングエリア、および各種の動作手順において得られるデータを記憶する記憶手段として機能する。ＲＡＭ２０３には、不揮発性メモリも含まれており、必要なデータは、電源をＯＦＦにしても保持される。
【００２７】
画像データ入力回路２０４は、図示省略した端末（例えばパーソナル・コンピュータ）から送られてきた画像データをカラープリンタ１００内に取り込む機能を備える。画像処理回路２０５は、色変換処理、階調を調整するための画像処理、解像度を決めるための画像処理、画像の拡大や縮小処理、光学書き込み手段１０４が解釈できる制御信号の生成といった各種の処理を行うための回路である。
【００２８】
駆動制御回路２０７は、現像機１０２、感光体ドラム１０３、転写ベルト１０６、定着ローラ１２７ａと１２７ｂ、および印刷用紙の搬送系１２４等を駆動するモータの制御を行う回路である。また、駆動制御回路２０７は、定着ローラ１２７ｂに内蔵された加熱ヒータのＯＮ／ＯＦＦおよび温度制御、さらに排気ファン１３５の動作制御を行う。
【００２９】
センサー２０６は、駆動制御回路２０７が駆動するモータの回転状態や回転角、トナー画像の形成状態、印刷用紙の搬送状態、画像形成枚数および画像形成量等を検出する。センサー２０６には、マーク検出センサー１２１およびトナーセンサー１１１も含まれる。
【００３０】
図３は、回路基板１３１ｂ上に配置された回路の構成を示すブロック図である。回路基板１３１ｂは、電源系の回路基板である。回路基板１３１ｂ上には、安定化電源回路３０２、３０３、およびヒータ電源回路３０４が配置されている。ここでは、一例としてＤＣ２４Ｖの電力供給源から、ＤＣ１２Ｖ、ＤＣ５Ｖを生成する安定化電源回路、および定着ローラ１２７ｂ内の加熱ヒータに加える電圧を生成するヒータ電源回路を示すが、必要な数や種類の電源回路を配置することができる。なお、ヒータ電源回路３０４で生成する電圧は、利用する加熱ヒータの規格に合わせて設定すればよい。
【００３１】
各電源回路には、供給する電圧や電力に応じたレギュレータ回路や昇圧回路等が配置され、それら回路を構成する半導体デバイス（３端子レギュレータやトランジスタ等）には、必要に応じて放熱構造が採用されている。
【００３２】
（実施形態の動作）
まず、カラープリンタ１００の図示省略した主電源がＯＮにされると、各種機能の起動処理が行われる。また、主電源ＯＮ後は、非印刷動作時でもアイドリング動作する各種装置への通電が行われる。この際、定着ローラ１２７ｂに内蔵された加熱ヒータへの通電が行われ、加熱ヒータは予熱状態となる。また、図示省略した温度検出センサーによって検出される温度に基づいて、適宜排気ファン１３５の動作が制御され、カラープリンタ１００内の温度が所定の温度を超えないように温度管理が行われる。
【００３３】
印刷が開始されると、端末（例えば、パーソナル・コンピュータ）等から送られてきた画像データは、画像データ入力回路２０４に取り込まれ、画像処理回路２０５に送られる。画像処理回路２０５において、画像データは、ＹＭＣＫの各基本色の画像データに色分解され、さらにこれら画像データに対して所定の画像処理が施される。また画像処理回路２０５において、画像処理後の画像データに基づいて、光学書き込み装置１０４に画像の形成を指示する制御信号が生成される。またこの動作が開始されると、感光体ドラム１０３および転写ベルト１０６の回転が開始され、さらに現像機１０１が回転し、対応する現象ユニット１０２が感光体ドラム１０３に対向する。また、定着ローラ１２７ｂに内蔵された加熱ヒータへの印可電圧が予熱状態よりも高い電圧となり、加熱ヒータは、実際に画像の定着を行うのに必要な発熱を行う状態となる。この際、加熱ヒータの発熱量に応じて、排気ファン１３５の回転量が制御され、カラープリンタ１００内からの排熱が行われる。
【００３４】
画像処理回路２０５で生成された制御信号は、光学書き込み装置１０４に送られ、光学書き込み装置１０４は、回転する感光体ドラム１０３にレーザ光を走査しながら照射し、感光体ドラム１０３の表面に潜像を形成する。潜像が形成された感光体ドラム１０３に現像ユニット１０２からトナーが供給され、この潜像に応じたパターンでトナー画像が感光体ドラム１０３上に形成される。このトナー画像は、１次転写ローラ１０８の働きによって転写ベルト１０６に１次転写される。
【００３５】
こうしてＹＭＣＫの一色の基本色のトナー画像が転写ベルト１０６上に形成される。そしてこの作業を各基本色において行い、転写ベルト上にＹＭＣＫのトナー画像を重ね、カラーのトナー画像を形成する。このカラーのトナー画像が２次転写ローラ１２６ａおよび１２６ｂの機能により、用紙収納部１２３から搬送経路１２５を搬送されてくる印刷用紙に２次転写される。印刷用紙に転写されたカラーのトナー画像は、印刷用紙が定着ローラ１２７ａと１２７ｂとの間に挟まれ、同時に定着ローラ１２７ｂからの加熱が行われることで、印刷用紙上に定着する。その後印刷用紙は、排出機構１２８から排出面１２９上に排出される。こうして、１枚の印刷が行われる。印刷する枚数が複数ある場合は、以上の動作が繰り返し行われる。
【００３６】
上記の動作において、排気ファン１３５が動作すると、風路１３４内を外部に向う空気の流れが生じ、ベルヌーイの定理によって冷却空間１３０に比較して、風路１３４内の圧力が低下する。この結果、冷却空間１３０内から開口１３２を介して空気が風路１３４内に流れ込み、冷却空間１３０内における外気導入口１３３から開口１３２に向かう空気の流れ１３７が発生する。この空気の流れ１３７によって回路基板１３１の冷却が行われる。
【００３７】
この際、外気導入口１３３から引き込まれる空気は、カラープリンタ１００の外部から取り込まれる空気であるから、高い冷却効率を得ることができる。また、相対的に外気導入口１３３が下部（鉛直下方）にあり、開口１３２が上部（鉛直上方）にあるので、冷却空間１３０内における回路基板１３１の熱を奪った空気の上方への流れが効率良く実現される。すなわち、冷却空間１３０内において、風路１３４内を流れる空気流に引き込まれる力と、回路基板１３１の熱を奪って昇温した空気の上昇しようとする力とが相乗的に作用して効率良く矢印１３７で示される空気の流れが形成される。
【００３８】
以上述べたように、本実施形態のカラープリンタ１００は、冷却空間１３０の開口１３２と外気導入口１３３との間に回路基板１３１を配置し、また、開口１３２は、定着装置からの熱を排出する空気が流れる風路１３４に繋がるように配置されている。これにより、風路１３４内の空気の流れに起因して冷却空間１３０の内部に空気の流れ１３７が発生し、それによって回路基板１３１が冷却される。定着ローラ１２７ｂからの発熱は、カラープリンタ１００の内部において最も発熱が多い部分であるので、排気ファン１３５の排気能力は比較的大きく、またその動作時間も長い。このため、その能力の一部を利用して回路基板１３１の冷却を行うことで、回路基板１３１の冷却を効率良く行うことができる。
【００３９】
２．第２の実施形態
本実施形態は、第１の実施形態にベンチュリ構造を採用することで、冷却空間１３０から風路１３４への空気の流れをより効率的に生成させる構成の一例である。図４は、発明を利用した実施形態の一例を示す概念図である。ここで、図４（Ｂ）には、図４（Ａ）を右方向から見た内部構造が示されている。なお、図４（Ｂ）には、図４（Ａ）に示す構成の一部が記載され、その他の記載は省略されている。
【００４０】
図４に示すカラープリンタ１００は、図１に示すカラープリンタと同様に、定着ローラ１２７ｂが発する熱を排気する排気ファン１３５を備えている。この態様では、排気ファン１３５の下流側の風路１３４に、ベンチュリ構造１３８が形成されている。ベンチュリ構造は、流体の流れを絞る（流路の径を部分的に細くする）ことで、その部分における流速を速くし、その部分における圧力を相対的に低くする構造のことである。ベンチュリ構造１３８の出口部分には、開口１３２が設けられている。この部分は、流速が速く低圧になる部分であるので、開口１３２を介して、冷却空間１３０から空気が風路１３４に効率良く吸い込まれる。
【００４１】
他の部分は、図１に示すカラープリンタ１００と同じ構成であるので、説明は省略する。また、カラープリンタ１００の動作および回路基板１３１の冷却の原理も図１に示すカラープリンタ１００と同じである。
【００４２】
３．第３の実施形態
（実施形態の構成）
本実施形態は、第１の実施形態とは異なる空気の流れを利用して回路基板の冷却を行う例である。図５は、発明を利用した実施形態の一例を示す概念図である。図５（Ｂ）には、図５（Ａ）を右方向から見た内部構造が示されている。なお、図５（Ｂ）には、図５（Ａ）に示す構成の一部が記載され、その他の記載は省略されている。
【００４３】
この例では、定着ローラ１２７ｂの発熱を排気する排気ファン１３５からの排気流を冷却空間１３０に導き、排気口１４３から外部に排出する。冷却空間１３０の上流側（回路基板１３１から見て上流側）には、外気導入口１４１および１４２が設けられている。冷却空間１３０において、外気導入口１４１および１４２と、排気口１４３との間には、回路基板１３１が配置されている。他の部分は、図１に示すカラープリンタ１００と同じ構成であるので、説明は省略する。
【００４４】
（実施形態の動作）
排気ファン１３５が動作すると、冷却空間１３０内に排気ファン１３５からの排気流が図の上方から下方に向かって流れ、その流れによって生じる低圧状態に起因して外気が外気導入口１４１および１４２から流入する。これにより、冷却空間１３０内を上方から下方に流れる空気が冷却される。すなわち、排気ファン１３５は、定着ローラ１２７ｂで発生した熱を含んだ排気を吸引し、排気するので、排気ファン１３５の排気流はカラープリンタ１００外部の空気に比較して相対的に温度が高い。この暖かい空気に外気導入口１４１および１４２から流入する外気（カラープリンタ１００外の空気）が混ざることで、その温度を下げることができる。
【００４５】
この冷却された空気の流れ１４４によって、回路基板１３１が冷却される。そして、回路基板１３１から熱を奪った空気は、排気口１４３からカラープリンタ１００の外部に排出される。なお、カラープリンタ１００の動作は、図１に示すカラープリンタ１００と同じであるので説明は省略する。
【００４６】
この態様によれば、定着ローラ１２７ｂで発生した熱を排熱するための機構を利用して、回路基板１３１の冷却が行われる。この際、排気ファン１３５からの昇温した排気流に外気を混合させることで、その温度を下げ、回路基板１３１の冷却効果を高めている。
【００４７】
４．他の実施形態
第１〜第３の実施形態では、画像形成装置の一例としてカラープリンタの例を示したが、本発明が適用可能な画像形成装置として複写装置、ＦＡＸ通信装置、モノクロプリンタを挙げることができる。また、プリンタ、複写装置およびＦＡＸ通信装置から選ばれた複数の機能を備える複合装置に本発明を適用することもできる。
【００４８】
また、定着装置としては、ランプからの光の照射による加熱手段を備えたものを採用することもできる。また第１〜第３の実施形態では、ＹＭＣＫの４色が一体となった現像ユニットと一つの感光体ドラムとを用いる１ドラム方式の画像形成装置の例を示したが、ＹＭＣＫの色ごとに現像機と感光体ドラムの組を備えたタンデム方式の画像形成装置に本発明を適用することもできる。
【産業上の利用可能性】
【００４９】
本発明は、回路基板を冷却する機構を備えた画像形成装置に利用することができる。
【図面の簡単な説明】
【００５０】
【図１】発明を利用した画像形成装置の一例を示す概念図である。
【図２】制御系の構成を示すブロック図である。
【図３】電源系の回路基板上に配置された回路の概要を示すブロック図である。
【図４】発明を利用した画像形成装置の一例を示す概念図である。
【図５】発明を利用した画像形成装置の一例を示す概念図である。
【符号の説明】
【００５１】
１００…カラープリンタ、１０１…現像機、１０３…感光体ドラム、１０５…クリーニング装置、１０５ａ…トナーを除去するためのブレード、１０６…転写ベルト、１０８…１次転写ローラ、１１０…クリーニングローラ、１２６ａ…２次転写ローラ、１２６ｂ…２次転写ローラ、１２７ａ…定着ローラ、１２７ｂ…定着ローラ（加熱ヒータ内蔵）、１３０…冷却空間、１３１…回路基板、１３１ａ…制御系および画像処理系の回路基板、１３１ｂ…電源系の回路基板、１３２…開口、１３３…外気導入口、１３４…風路、１３５…排気ファン、１３６…フィルター、１３７…空気の流れ、１３８…ベンチュリ構造、１４１…外気導入口、１４２…外気導入口、１４３…排気口。
【図１】
2008145721.tif 000003
【図２】
2008145721.tif 000004
【図３】
2008145721.tif 000005
【図４】
2008145721.tif 000006
【図５】
2008145721.tif 000007